(57)【要約】      （修正有）【課題】握力や捻回力が弱い小児、女性、入院患者、身障者、高齢者等の社会的弱者が、ペットボトルのキャップ体を開栓することなく、ボトル内の飲料を容易に吸飲できる、連通管付きペットボトルを提供する。【解決手段】容器本体の上部に注出口を設け、該注出口に装着されるキャップ体と、胴部及び底部からなるペットボトルにおいて、前記底部内周縁の一端から、胴部外側面に沿って上方に延設する細径の連通管を、一体的に形成した、連通管付きペットボトル。【選択図】図１
0003119044.tif 000002
【実用新案登録請求の範囲】
【請求項１】
容器本体の上部に注出口を設け、該注出口に装着されるキャップ体と、胴部及び底部からなるペットボトルにおいて、
前記底部内周縁の一端から、胴部外側面に沿って上方に延設する細径の連通管を、一体的に形成したことを特徴とする、連通管付きペットボトル。
【請求項２】
前記連通管に対応する胴部の内側面には、ほぼ半円状の凹部が胴部上端まで形成され、該凹部に沿って連通管が延設されていることを特徴とする、請求項１記載の連通管付きペットボトル。
【請求項３】
前記連通管の長さは、少なくとも容器本体の底部からキャップ体を超える長さに形成されていることを特徴とする、請求項又は請求項２記載の連通管付きペットボトル。
【請求項４】
前記連通管の上方には、該連通管を折り曲げるための蛇腹部が形成されていることを特徴とする、請求項１〜請求項３記載の連通管付きペットボトル。
【請求項５】
前記連通管の先端吸飲部は、蛇腹部で下方に折り曲げられ、胴部外周面に合成樹脂シールで被覆、止着されていることを特徴とする、請求項１〜請求項４記載の連通管付きペットボトル。
【請求項６】
前記連通管の先端吸飲部の近傍には、逆流防止手段が設けられていることを特徴とする、請求項１〜請求項５記載の連通管付きペットボトル。
【請求項７】
容器本体の注出口近傍には、空気抜き用の小穴が穿設され、該小穴は紙又は樹脂シールで被覆されていることを特徴とする、請求項１記載の連通管付きペットボトル。
【請求項８】
前記連通管が一体的に形成される容器本体の容量が、２００ｍｌ〜５００ｍｌであることを特徴とする、請求項１〜請求項７記載の連通管付きペットボトル。
【考案の詳細な説明】
【技術分野】
【０００１】
本考案は、連通管付きペットボトルに関し、より詳しくは、容器本体に装着されているキャップ体を開栓することなく、容器内の飲料を吸飲可能な、いわゆるストローに代替する連通管を、容器本体の底部に一体的に形成した、連通管付きペットボトルに関する。
【背景技術】
【０００２】
ミネラルウォーター、茶、ジュース等の飲料は、主に２００ミリリットル〜２リットル入りのポリエチレン・テレフタレート（Ｐｏｌｙｅｔｈｙｌｅｎｅ  Ｔｅｒｅｐｈｔｈａｌａｔｅ  Ｒｅｓｉｎ）樹脂からなる飲料容器いわゆる、ペットボトル内に充填されている。ペットボトルの上部にある注出口に装着されたキャップ体を、最初に開栓するのには、利き腕の指先等でキャップ体を把持し、これを捻回し、該キャップ体の下方にある封緘部と取付部を切り離さなければならない。
【０００３】
キャップ体の直径、高さ寸法等はメーカーによって、多少の差異はあるが、キャップ体は容器本体のネックの鍔近傍にある封緘部で、全周面が断続的に切断されており、切断の残存部分がキャップ体の捻回により切断される。残存部分の切断面積は、メーカーによって異なり、キャップ体の最初の開手回し栓には強い捻回力を要するので、大人の健常者でも開栓できないときがあり、握力や捻回力が弱い小児、女性、入院患者、身障者、高齢者等のいわゆる、社会的弱者に優しい飲料容器であるとは言い難い。
【０００４】
ペットボトル内の飲料を吸飲する器具として、ストローをペットボトルに内臓しているものが多数提案されているが、製造上又は衛生面等に種々の問題があり、製品化されていない現状にある。また、上記の社会的弱者のために、ペットボトルの開栓を容易にするために、各種の提案がなされている。例えば、特開２００５−２６３３１６「ペットボトルのキャップ」、特開２００４−７５１８６「携帯ジュースオープナー」、特開２００２−１１４２９４「高齢者向け多機能蓋開け器」、特開２００３−３００５９７「ペットボトルのキャップオープナー」、特開２００１−３５４２６０「ペットボトル用のストロー付き吸口キャップ」、登録実用３１０９４４６「ペットボトルのキャップ」、登録実用３１
２／６
１３６０５「穴付きボトルキャップ」等々である。しかしながら、上記の社会的弱者は、キャップ体を開栓してから注出口に口を接して容器内の飲料を飲むいわゆる、ラッパ飲みすることは困難であり、また特に女性としては見映えも悪いので、ストロー又は吸飲み具を用いて吸飲している。
【特許文献１】特開２００５−２６３３１６号公報
【特許文献２】特開２００４−７５１８６号公報
【特許文献３】特開２００２−１１４２９４号公報
【特許文献４】特開２００３−３００５９７号公報
【特許文献５】特開２００１−３５４２６０号公報
【特許文献６】実用新案登録第３１０９４４６号公報
【特許文献７】実用新案登録第３１１３６０５号公報
【考案の開示】
【考案が解決しようとする課題】
【０００５】
本考案の課題は、握力や捻回力が弱い小児、女性、入院患者、身障者、高齢者等の社会的弱者が、ペットボトルのキャップ体を開栓することなく、ボトル内の飲料を容易に吸飲できる、連通管付きペットボトルを提供することにある。
【課題を解決するための手段】
【０００６】
上記の課題を解決するための請求項１の考案は、容器本体の上部に注出口を設け、該注出口に装着されるキャップ体と、胴部及び底部からなるペットボトルにおいて、前記底部内周縁の一端から、胴部外側面に沿って上方に延設する細径の連通管を、一体的に形成したことを特徴としている。
【０００７】
課題を解決するための請求項２の考案は、請求項１記載の考案にあって、前記連通管に対応する胴部の内側面には、ほぼ半円状の凹部が胴部上端まで形成され、該凹部に沿って連通管が延設されていることを特徴としている。
【０００８】
課題を解決するための請求項３の考案は、請求項１又は請求項２記載の考案にあって、前記連通管の長さは、少なくとも容器本体の底部からキャップ体を超える長さに形成されていることを特徴としている。
【０００９】
課題を解決するための請求項４の考案は、請求項１〜請求項３記載の考案にあって、前記連通管の上方には、該連通管を折り曲げるための蛇腹部が形成されていることを特徴としている。
【００１０】
課題を解決するための請求項５の考案は、請求項１〜請求項４記載の考案にあって、前記連通管の先端吸飲部は、蛇腹部で下方に折り曲げられ、胴部外周面に合成樹脂シールで被覆、止着されていることを特徴としている。
【００１１】
課題を解決するための請求項６の考案は、請求項１〜請求項５記載の考案にあって、前記連通管の先端吸飲部の近傍には、逆流防止手段が設けられていることを特徴としている。
【００１２】
課題を解決するための請求項７の考案は、請求項１記載の考案にあって、容器本体の注出口近傍には、空気抜き用の小穴が穿設され、該小穴は紙又は樹脂シールで被覆されていることを特徴としている。
【００１３】
課題を解決するための請求項８の考案は、請求項１及び請求項７記載の考案にあって、前記連通管が一体的に形成される容器本体の容量が、２００ｍｌ〜５００ｍｌであることを特徴としている。
【考案の効果】
【００１４】
本考案に係る、連通管付きペットボトルは、上記の構成になるから以下の効果を奏する。請求項１の考案によれば、本考案は、容器本体の底部内周縁の一端から、胴部外側面に沿って上方に延設する細径の連通管を、一体的に形成してなり、ペットボトルに装着しているキャップ体を開栓することが不要なので、小児、女性、入院患者、身障者、高齢者等の社会的弱者はもちろん、車のドライバー等も連通管を介して、ペットボトル内の飲料を容易に吸飲できる。
【００１５】
請求項２の考案によれば、前記連通管に対応する胴部の内側面には、ほぼ半円状の凹部が胴部上端まで形成され、該凹部に沿って連通管が延設されているので、飲料者が容器本体の胴部を片手又は両手で把持しても、殆ど違和感がなく、また、自動販売機等での販売にも支障がない。
【００１６】
請求項３の考案によれば、連通管の長さは、少なくとも容器本体の底部からキャップ体を超える長さに形成されているので、連通管の先端吸飲部を口中に銜えやすく、飲料の吸飲が容易である。
【００１７】
請求項４の考案によれば、連通管の上方には、該連通管を折り曲げるための
蛇腹部が形成されているので、連通管の先端吸飲部の角度を自在に変更して吸飲できるので、ベッドに寝たきりの入院患者等には、好都合である。
【００１８】
請求項５の考案によれば、連通管の先端吸飲部は、蛇腹部で下方に折り曲げられ、胴部外周面に合成樹脂シールで被覆、止着されているので、特に先端吸飲部には塵埃等が付着しないので、衛生的である。
【００１９】
請求項６の考案によれば、連通管の先端吸飲部の近傍には、逆流防止手段が設けられているので、誤ってペットボトルを横転させても、容器内の飲料が流出することを防ぐことができる。
【００２０】
請求項７の考案によれば、容器本体の注出口近傍には、空気抜き用の小穴が穿設され、該小穴は、紙又は樹脂シールで被覆されているので、吸飲時は手指で樹脂シールを剥離し、小穴を開口すれば、容器本体内に空気が流入するので、飲料の吸飲が円滑にできる。
【００２１】
請求項８の考案によれば、前記連通管が一体的に形成される容器本体の容量が、２００ｍｌ〜５００ｍｌであるから、小児、女性、入院患者、身障者、高齢者等の社会的弱者は、容器本体の胴部を片手又は両手で把持して、ゆっくりと吸飲できる。
【考案を実施するための最良の形態】
【００２２】
以下、本考案に係る、連通管付きペットボトルＰに関する最良の実施形態について、図面を参照しながら説明する。図１は、ペットボトルＰの一部切欠正面図、図２は、同側面図、図３は、図１における３−３線拡大断面図、図４は、連通管と逆流防止用の手回し栓の一部切欠正面図である。
【００２３】
図１及び図２に示す、本考案の連通管付きペットボトルＰは、注出口１、該注出口１に装着されるキャップ体２と、胴部３及び底部４からなる容器本体と、底部４の内周縁の一端４ａから胴部３の外側面３ａに沿って注出口１のある、上方に向けて延設される細径の連通管５から構成されている。連通管５は、少なくとも底部４からキャップ体２を超える長さに延設され、連通管５の上部に形成された蛇腹部５ａで、キャップ体２とほぼ同高位置で底部４に向けて折り曲げられている。連通管５の先端吸飲部５ｂは、胴部３の外側面３ａに合成樹脂シール６で被覆され、高周波溶着６ａ等により固定されている。なお図２に
示す７は、容器本体のネック近傍に穿設された空気抜き用の小穴で、該小穴７は紙又は樹脂シール８で被覆されており、９は逆流防止用の手回し栓である。
【００２４】
図３に示すように、連通管５が延設される胴部３の外側面３ａは、内側に向けて膨出するように、ほぼ半円状の凹部３ｂが胴部上端３ｃまで形成され、連通管５はその外周面５ｃの殆どが凹部３ｂに埋設するようになっている。
【００２５】
図４は、連通管５とこれに装着される逆流防止用の手回し栓９を示し、連通管５の先端吸飲部５ｂのやや上方に、手回し栓９の直径とほぼ同径の装着孔５ｄを設け、手回し栓９の中心には連通管５の管内径と同径の貫通孔９ａが形成されている。手回し栓９の先端部は、連通管５の装着孔５ｄに装着され、貫通孔９ａが閉塞された状態で、容器本体内に水、お茶又はジュース等の飲料が注出口１から充填される。
【００２６】
ペットボトルＰ内の飲料を吸飲するには、例えば先ず、片手で容器本体を把持し、他方の指先で小穴７を被覆している紙又は樹脂シール８の一端８ａ摘んで剥離し、つぎに連通管５の先端吸飲部５ｂを被覆している合成樹脂シール６を剥離するか又は、手回し栓９と連通管５を指先で摘み、これを上方に引き上げ、露出した先端吸飲部５ｂを口で銜えた後、手回し栓９を回転させて貫通孔９ａを開口して吸飲すれば、吸引力に相当する飲料を飲むことができる。
【００２７】
ペットボトルＰ内の飲料を飲み残すときは、手回し栓９を逆回転させ、貫通孔９ａを閉塞しておけば、何らかの衝撃、振動等でペットボトルＰが床面やベッド等に落下又は横転しても、ペットボトルＰ内の飲料が外部に流出することはない。
【００２８】
本考案に係る、連通管付きペットボトルＰの主な構成部材のうち、注出口１、胴部３、凹部３ｂ及び底部４からなる容器本体と、底部４の内周縁の一端４ａから上方に向けて延設される連通管５等は、ポリエチレン・テレフタレート（Ｐｏｌｙｅｔｈｙｌｅｎｅ  Ｔｅｒｅｐｈｔｈａｌａｔｅ  Ｒｅｓｉｎ）樹脂を用いて、中空成型法等の公知技術によって製造され、連通管５の先端吸飲部５ｂを被覆する合成樹脂シール６、小穴７を被覆している紙又は樹脂シール８及び手回し栓９は、容器本体及び連通管５と別の素材と製作法で予め製作されている。
【図面の簡単な説明】
【００２９】
【図１】本考案に係る、連通管付きペットボトルの一部切欠正面図である。
【図２】同、側面図である。
【図３】図１におけるＡ−Ａ線拡大断面図である。
【図４】連通管と逆流防止用の手回し栓の一部切欠正面図である。
【符号の説明】
【００３０】
Ｐ              ペットボトル
１              注出口
２              キャップ体
３              胴部
３ａ            胴部３の外側面
３ｂ            凹部
４              底部    
４ａ            底部４の内周縁の一端
５              連通管
５ａ            蛇腹部
５ｂ            連通管５の先端吸飲部
６              合成樹脂シール
６ａ            高周波溶着
７              小穴
８              紙又は樹脂シール
９              逆流防止用の手回し栓
【図１】
0003119044.tif 000003
【図２】
0003119044.tif 000004
【図３】
0003119044.tif 000005
【図４】
0003119044.tif 000006
【手続補正書】
【提出日】平成17年11月28日(2005.11.28)
【手続補正１】
【補正対象書類名】実用新案登録請求の範囲
【補正対象項目名】請求項３
【補正方法】変更
【補正の内容】
【請求項３】
前記連通管の長さは、少なくとも容器本体の底部からキャップ体を超える長さに形成されていることを特徴とする、請求項1又は請求項２記載の連通管付きペットボトル。